(57)【要約】【課題】キャビンの遮音性、防水性、及び前壁の剛性の向上を図る。【解決手段】トラクタ１０のボンネット２０と運転席２２との間部分には、給油口２４ａを有する燃料タンク２４が配置されていて、運転席２２を覆うキャビン３８は、フロントガラス４０を支持する前部壁４２を有し、該前部壁４２におけるメータパネル５０の取付位置に対応する機体左右方向の略々中央部に、燃料タンク２４の給油口２４ａを外部に露出する密閉凹部５２が形成されている。この密閉凹部５２は、前方から後方に向かって延設された中空筒状に形成されていて、この構造により前部壁４２の剛性の向上が図られると共に、後壁面５２ａに形成された開口部５３は、スポンジシール５６を挟んでメータパネル５０の前面パネル５０ａに密着しているため、この開口部５３から外部の騒音や雨水等がキャビン３８内に入り込むおそれはない。【選択図】　　　図６
2004058692.tif 000002
【特許請求の範囲】
【請求項１】
機体前方にエンジンを覆うボンネットを有すると共に、該ボンネットの後方に運転席を備え、かつ前記ボンネットと運転席との間部分に給油口を有する燃料タンクを配置してなるトラクタにおいて、
前記運転席を覆うようにキャビンを設け、該キャビンは、フロントガラスを支持する前部壁を有し、該前部壁における計器パネルの取付位置に対応する機体左右方向の略々中央部に、前記燃料タンクの前記給油口を外部に露出する密閉凹部を形成した、
ことを特徴とするトラクタのキャビン。
【請求項２】
前記密閉凹部は、後壁面に形成された開口部から前記給油口が外部に露出すると共に、該開口部はシール部材を介して前記計器パネルの前面パネルに密接されている、
ことを特徴とする請求項１記載のトラクタのキャビン。
【請求項３】
前記前部壁は合成樹脂から成る、
ことを特徴とする請求項１記載のトラクタのキャビン。
【発明の詳細な説明】
【０００１】
【発明の属する技術分野】
本発明は、運転席の周囲を覆うトラクタのキャビンに関する。
【０００２】
【従来の技術】
トラクタのキャビンは、運転席で操縦するオペレータの周囲を保護すると共に、騒音を遮断したり、運転室内を冷暖房する等の機能を有するが、安全性や快適性に加え、オペレータにとって視認性が良いことが要求される。
【０００３】
また、従来のトラクタでは、ボンネットと運転席との間部分に給油口を有する燃料タンクが配置されていて、キャビンのフロントパネルに穴を明け、この穴から燃料タンクの給油口筒部を突出させて、該給油口の周囲をゴムダレにてシールしていた。
【０００４】
【発明が解決しようとする課題】
従来のキャビン構造によると、キャビンのフロントパネルに穴を明けていたため、該フロントパネルの剛性が低下するおそれがあると共に、該穴から雨水が進入して防水性に欠け、また、該穴を介してキャビン内に騒音が入り込み遮音性に欠ける等の課題があった。
【０００５】
本発明は、斯かる課題を解決するためになされたもので、その目的とするところは、キャビンの遮音性、防水性、及び前壁の剛性向上を図り得るトラクタのキャビンを提供することにある。
【０００６】
【課題を解決するための手段】
前記目的を達成するため、請求項１記載の発明は、機体前方にエンジン（１８）を覆うボンネット（２０）を有すると共に、該ボンネット（２０）の後方に運転席（２２）を備え、かつ前記ボンネット（２０）と運転席（２２）との間部分に給油口（２４ａ）を有する燃料タンク（２４）を配置してなるトラクタ（１０）において、
前記運転席（２２）を覆うようにキャビン（３８）を設け、該キャビン（３８）は、フロントガラス（４０）を支持する前部壁（４２）を有し、該前部壁（４２）における計器パネル（５０）の取付位置に対応する機体左右方向の略々中央部に、前記燃料タンク（２４）の前記給油口（２４ａ）を外部に露出する密閉凹部（５２）を形成したことを特徴とする。
【０００７】
請求項２記載の発明は、請求項１記載のトラクタのキャビンにおいて、前記密閉凹部（５２）は、後壁面（５２ａ）に形成された開口部（５３）から前記給油口（２４ａ）が外部に露出すると共に、該開口部（５３）はシール部材（５６）を介して前記計器パネル（５０）の前面パネル（５０ａ）に密接されていることを特徴とする。
【０００８】
請求項３記載の発明は、請求項１記載のトラクタのキャビンにおいて、前記前部壁（４２）は合成樹脂から成ることを特徴とする。
【０００９】
［作用］
本発明によれば、キャビン（３８）は前部壁（４２）を有し、該前部壁（４２）における計器パネル（５０）の取付位置に対応する機体左右方向の略々中央部に、燃料タンク（２４）の給油口（２４ａ）を外部に露出する密閉凹部（５２）を形成し、この密閉凹部（５２）は前後に連通する中空筒状に形成されているので、前部壁（４２）の剛性の向上が図られる。また、密閉凹部（５２）の後壁面（５２ａ）に形成された開口部（５３）は、シール部材（５６）を挟んで計器パネル（５０）の前面パネル（５０ａ）に密着しているため、この開口部（５３）から外部の騒音がキャビン（３８）内に入り込んだり、雨水等がキャビン（３８）内に入り込むおそれはなく、これにより防音性及び防水性の向上が図られる。
【００１０】
なお、括弧内の符号は、図面を参照するためのもので、本発明を何ら限定するものではない。
【００１１】
【発明の実施の形態】
以下、図面に基づき本発明の実施の形態を説明する。
【００１２】
図１は、キャビンを取外したトラクタの外観図であり、トラクタ１０は、前輪１２及び後輪１４にて支持された走行機体１６を有し、機体前方にはエンジン１８を覆うボンネット２０が装着され、エンジン２０の下部には、機体後方に向けて一体的にミッションケース２１が取付けられている。また、ボンネット２０の後方には、運転席２２が備えられていて、該ボンネット２０と運転席２２との間部分には、給油口２４ａを有する燃料タンク２４（図７参照）が配設されている。
【００１３】
運転席２２には、乗降用ステップ２３の上方にステアリングホイール２６と座席シート２８等が配設されていて、座席シート２８の側方でかつフェンダフレーム２９の内側には、主変速レバー３０及び副変速レバー３２が設けられている。また、座席シート２８の後部には、運転者を保護する枠状の安全フレーム３４が立設され、機体後方にはロータリ３６等の作業機が油圧により昇降自在に支持されている。
【００１４】
更に、ステアリングホイール２６の前面で、かつ機体左右方向の略々中央部には、各種計器類による計測値を表示するメータパネル５０が装着されている。
【００１５】
図２は、本発明に係るトラクタのキャビンの外観斜視図であり、図３乃至図５は、キャビンを取付けたトラクタの外観図である。キャビン３８は、走行機体１６の上部で、乗降用ステップ２３とフェンダフレーム２９の上部に、運転席２２を覆うように装着されている。このキャビン３８は、運転席２２の前部のフロントガラス４０を支持する前部壁４２と、リアガラス４３を支持する後部壁４４と、天面を覆う天井壁４６と、左右１対の側面ドア４８，４８とを有し、該側面ドア４８に取付けられた把手４９を操作して外方に回動すると、アーム部材５１で支持された側面ドア４８を、後部壁４４を中心として開放することができる。なお、本実施形態では、これら前部壁４２と後部壁４４、及び天井壁４６は、合成樹脂から成っている。
【００１６】
そして、本実施の形態では、前記前部壁４２における計器パネル５０の取付位置に対応する機体左右方向の略々中央部に、燃料タンク２４の給油口２４ａを外部に露出する密閉凹部５２を形成したものである。
【００１７】
すなわち、図６に示すように、前部壁４２は、多数のゴム受け座３９によりフロントガラス４０を支持する左右の縦フレーム４２ａ，４２ａと、上フレーム４２ｃ、中央フレーム４２ｄ、及び該中央フレーム４２ｄと一体的かつ左右に分岐されて垂下する下部フレーム４２ｂ，４２ｂとを有していて、該下部フレーム４２ｂ，４２ｂの上下内側部には、機体への取付け用のネジ穴６２，６３が形成されている。
【００１８】
また、前記中央フレーム４２ｄには、メータパネル５０の取付け位置に対応する機体左右方向の略々中央部に、燃料タンク２４の給油口２４ａを外部に露出する密閉凹部５２が形成されている。この密閉凹部５２は、前方から後方に向かって延設された中空筒状に形成されていると共に、その後壁面５２ａには開口部５３が形成されている。更に、該密閉凹部５２の上部にはフロントパネル５４が一体的に形成されている。
【００１９】
図７に示すように、前記密閉凹部５２の後壁面５２ａは、側面視において、前方が低くかつ後方に向って上方に傾斜するように形成され、この傾斜面に前記開口部５３が形成されている。そして、この開口部５３から、前記給油口２４ａが外部に露出するように配置されていると共に、該開口部５３は、スポンジシール（シール部材）５６を介してメータパネル５０の前面パネル５０ａに密接されている。これにより、キャビン３８の内側と外側は、開口部５３を介して液密又は気密に区画されることとなり、キャビン３８内の防音性及び耐シール性が向上する。
【００２０】
また、密閉凹部５２の内側断面は円弧状（半径Ｒ）に形成されていて、このような形状とすることにより、給油口２４ａの上方空間を広くしてスペースを確保するように考慮されている。これにより、密閉凹部５２の内側に手を入れて給油作業を行う際に、作業を容易に行うことができる。更に、開口部５３の穴径は、燃料タンク２４の給油口２４ａの受け皿（図示せず）よりも小さく形成され、燃料がオーバフローしたときに、こぼれた燃料がボンネット２０側に入らないようにしている。また、給油口２４ａは、フロントパネル５４の前面よりも引っ込めて配置され、これによりボンネット２０を最大に開放可能にすると共に、少しの雨なら給油可能なように工夫されている。
【００２１】
キャビン３８の前部壁４２は、図８に示すように、側面視において、縦フレーム４２ａの上端部と下部フレーム４２ｂの下端部を連結する直線に対し、密閉凹部５２の後壁面５２ａの後端部を前方側に寸法ｓだけ引っ込めた構造に形成されている。これは、単品で積層するときのバランス性を考慮したものである。
【００２２】
一方、図７と図９に示すように、ボンネット２０の後部には、フレーム６０を介してボルト６４により燃料タンク２４が取付けられていて、このフレーム６０に、前述したネジ穴６２，６３を介して前部壁４２の下部フレーム４２ｂ，４２ｂが固定されている。こうして、キャビン３８の前部がしっかりと機体に固定される。
【００２３】
以上説明したように、本実施形態におけるキャビン３８によれば、前部壁４２は、メータパネル５０の取付位置に対応する機体左右方向の略々中央部に、燃料タンク２４の給油口２４ａを外部に露出する密閉凹部５２が形成されていて、この密閉凹部５２は、前方から後方に向かって延設された中空筒状に形成されているので、キャビン３８の前部に穴を明けた場合に比して前部壁４２の剛性の向上が図られる。
【００２４】
また、密閉凹部５２の後壁面５２ａに形成された開口部５３は、スポンジシール５６を挟んでメータパネル５０の前面パネル５０ａに密着しているため、この開口部５３から外部の騒音がキャビン３８内に入り込んだり、雨水等がキャビン３８内に入り込むおそれはなく、従ってこの密閉凹部５２により防音性及び防水性（耐シール性）の向上が図られる。しかも、密閉凹部５２の内側断面は、円弧状（半径Ｒ）に形成されているので、給油口２４ａの上方空間が広くなり、手が入り易くなって給油性の向上が図られる。
【００２５】
更に、図８に示すように、キャビン３８の前部壁４２は、側面視において上部フレーム４２ａの上端部と下部フレーム４２ｂの下端部とを連結する直線に対し、密閉凹部５２の後壁面５２ａの後端部を前方側に寸法ｓだけ引っ込めた形状に形成されているので、部品倉庫等において前部壁４２を単品で複数個積み重ねた場合にも、バランス良く積層することが可能となる。
【００２６】
【発明の効果】
以上説明した通り、請求項１記載の発明によれば、運転席を覆うようにキャビンを設け、該キャビンは、フロントガラスを支持する前部壁を有し、該前部壁における計器パネルの取付位置に対応する機体左右方向の略々中央部に、燃料タンクの給油口を外部に露出する密閉凹部を形成したので、前部壁の剛性の向上を図ることができる。
【００２７】
請求項２記載の発明によれば、請求項１記載のトラクタのキャビンにおいて、前記密閉凹部は、後壁面に形成された開口部から給油口が外部に露出すると共に、該開口部はシール部材を介して計器パネルの前面パネルに密接されているので、キャビン内の遮音性及び防水性の向上を図ることができる。
【００２８】
請求項３記載の発明によれば、請求項１記載のトラクタのキャビンにおいて、前記前部壁は合成樹脂から成るので、該前部壁を一体的に成形することができ、製造コストの低減と剛性の増強を図ることができる。
【図面の簡単な説明】
【図１】キャビンを取外したトラクタの外観図である。
【図２】キャビンの外観斜視図である。
【図３】キャビンを取付けたトラクタの外観図である。
【図４】図３に示したトラクタの正面図である。
【図５】図３に示したトラクタの後面図である。
【図６】キャビンの前部壁の外観図である。
【図７】キャビンの前部壁をトラクタに取付けた状態の断側面図である。
【図８】キャビンの前部壁の断側面図である。
【図９】キャビンの前部壁をトラクタに取付けた状態の正面図である。
【符号の説明】
１０　　　トラクタ
１８　　　エンジン
２０　　　ボンネット
２２　　　運転席
２４　　　燃料タンク
２４ａ　　給油口
３８　　　キャビン
４０　　　フロントガラス
４２　　　前部壁
４２ａ　　縦フレーム
４２ｂ　　下部フレーム
４２ｃ　　上フレーム
４２ｄ　　中央フレーム
５０　　　メータパネル
５０ａ　　前面パネル
５２　　　密閉凹部
５２ａ　　後壁面
５３　　　開口部
５６　　　スポンジシール
【図１】
2004058692.tif 000003
【図２】
2004058692.tif 000004
【図３】
2004058692.tif 000005
【図４】
2004058692.tif 000006
【図５】
2004058692.tif 000007
【図６】
2004058692.tif 000008
【図７】
2004058692.tif 000009
【図８】
2004058692.tif 000010
【図９】
2004058692.tif 000011